(57)【要約】【課題】光学部材の向きを調節する調節部の配置スペースを低減することが可能な光走査装置を提供する。【解決手段】第１調節部１０１の偏芯ビス１１３の回転角度を適宜調節することにより、ミラー６４ａの一端を矢印方向Ａ、Ｂに変位させて、ミラー６４ａの反射面の向きを適宜設定することができ、光ビームＬ１による感光体ドラム１３表面の走査位置を正確に調節設定することができる。また、第１調節部１０１を構成する保持部材１１１、バネ部材１１２、及び偏芯ビス１１３がミラー６４ａの反射面の側に概ねまとめて配置されているので、第１調節部１０１の配置スペースの高さが低く、光走査装置１１の小型化を図ることができる。【選択図】図９
2014235370.tif 000002
【特許請求の範囲】
【請求項１】
光ビームを出射する発光素子と、前記光ビームを偏向させる偏向部と、前記光ビームを反射又は透過する光学部材と、前記光学部材の向きを調節する調節部とを備え、前記偏向部で偏向され前記光学部材を経由した前記光ビームにより被走査体を走査する光走査装置であって、
前記調節部は、前記光学部材の互いに反対方向に向く各側面の一方に当接して、該各側面の他方の側へと延在する保持部材と、前記各側面の他方を該各側面の一方と前記保持部材との当接箇所の側に押圧する押圧部材と、前記各側面の他方の側で前記保持部材に接して、前記保持部材を変位させる変位部材とを備えたことを特徴とする光走査装置。
【請求項２】
請求項１に記載の光走査装置であって、
前記保持部材は、前記光学部材の各側面の一方から他方の側へと延在する胴板と、前記胴板の一端で折り曲げられて前記各側面の一方に接する保持板と、前記胴板の他端で前記保持板とは反対側に折り曲げられて前記変位部材に接する当接板とを有することを特徴とする光走査装置。
【請求項３】
請求項２に記載の光走査装置であって、
前記変位部材は、軸部と、前記軸部の中心に対して偏芯して設けられた頭部とを有する雄ネジであり、
前記雄ネジの頭部が、前記押圧部材による押圧方向に向く前記保持部材の当接板の面に接することを特徴とする光走査装置。
【請求項４】
請求項３に記載の光走査装置であって、
前記雄ネジの軸部のねじ込み方向に向く前記雄ネジの頭部の角部に、面取り加工を施したことを特徴とする光走査装置。
【請求項５】
請求項３に記載の光走査装置であって、
前記雄ネジの頭部に接する前記保持部材の当接板には、前記雄ネジの軸部のねじ込み方向で該軸部に近づく傾斜面が形成されたことを特徴とする光走査装置。
【請求項６】
請求項１から５のいずれか１つに記載の光走査装置を備え、前記光走査装置により被走査体上に潜像を形成し、前記被走査体上の潜像を可視像に現像して、前記可視像を前記被走査体から用紙に転写形成する画像形成装置。
【発明の詳細な説明】
【技術分野】
【０００１】
本発明は、光ビームにより被走査体を走査する光走査装置、及びそれを備えた画像形成装置に関する。
【背景技術】
【０００２】
例えば、電子写真方式の画像形成装置では、感光体（被走査体）表面を均一に帯電させてから、光ビームにより感光体表面を走査して、静電潜像を感光体表面に形成し、トナーにより感光体表面の静電潜像を現像して、感光体表面にトナー像を形成し、トナー像を感光体から記録用紙に転写している。
【０００３】
光ビームによる感光体表面の走査は、光走査装置により行われる。この光走査装置では、光ビームを出射する半導体レーザ等の発光素子、光ビームを反射するポリゴンミラー等の複数のミラー、光ビームを偏向するｆθレンズ等の複数のレンズを備え、半導体レーザの光ビームを各ミラー及び各レンズ等の光学部材により感光体表面へと導き、光ビームにより感光体表面を走査して、感光体表面に静電潜像を形成する。
【０００４】
このような光走査装置においては、光ビームが入射、出射、又は反射される光学部材の面の向きを高精度で調節して、光ビームによる感光体表面の走査位置を正確に設定する必要がある。
【０００５】
例えば、特許文献１では、ミラーを変位可能に弾性的に支持し、腕部を回転可能に軸支して、腕部の一端をミラーの裏面に当接させ、腕部の他端を移動させて、腕部を回転させ、腕部の一端によるミラーの裏面の押圧量を調節して、ミラーを変位させている。
【０００６】
あるいは、図１７に示すようにミラー２０１の裏面をバネ（図示せず）により矢印方向Ｑに押圧して、ミラー２０１の表面を偏芯カム２０２に当接させておき、偏芯カム２０２を回転させて、偏芯カム２０２によるミラー２０１の表面の押圧量を調節して、ミラー２０１を変位させている。
【先行技術文献】
【特許文献】
【０００７】
【特許文献１】特開２０１３−６１５０９号公報
【発明の概要】
【発明が解決しようとする課題】
【０００８】
しかしながら、特許文献１のように腕部を回転させて、腕部の一端によるミラーの裏面の押圧量を調節する構成では、腕部及び腕部の他端を移動させる機構の配置スペースが広くなり、これが光走査装置の小型化の弊害となる。
【０００９】
また、図１７に示すような構成では、ミラー２０１の裏面側にバネ（図示せず）を設け、ミラー２０１の表面側に偏芯カム２０２を設ける必要があり、よってミラー２０１の表裏にバネ及び偏芯カム２０２のそれぞれの配置スペースを設けることになり、これが光走査装置の小型化の弊害となる。
【００１０】
そこで、本発明は、上記従来の問題点に鑑みなされたものであり、光学部材の向きを調節する調節部の配置スペースを低減することが可能な光走査装置及びそれを備えた画像形成装置を提供することを目的とする。
【課題を解決するための手段】
【００１１】
上記課題を解決するために、本発明の光走査装置は、光ビームを出射する発光素子と、前記光ビームを偏向させる偏向部と、前記光ビームを反射又は透過する光学部材と、前記光学部材の向きを調節する調節部とを備え、前記偏向部で偏向され前記光学部材を経由した前記光ビームにより被走査体を走査する光走査装置であって、前記調節部は、前記光学部材の互いに反対方向に向く各側面の一方に当接して、該各側面の他方の側へと延在する保持部材と、前記各側面の他方を該各側面の一方と前記保持部材との当接箇所の側に押圧する押圧部材と、前記各側面の他方の側で前記保持部材に接して、前記保持部材を変位させる変位部材とを備えている。
【００１２】
このような本発明の光走査装置では、押圧部材が光学部材の各側面の他方を押圧して、光学部材の各側面の一方が保持部材に押し付けられて当接する。従って、押圧部材と保持部材との間に光学部材が挟み込まれて保持される。
【００１３】
そして、変位部材は、光学部材の各側面の他方の側で保持部材に接して、保持部材を変位させる。このとき、押圧部材と保持部材との間に光学部材が挟み込まれて保持された状態で、光学部材が保持部材と共に変位する。
【００１４】
また、押圧部材が光学部材の各側面の他方を押圧し、変位部材が光学部材の各側面の他方の側で保持部材に接することから、押圧部材及び変位部材のいずれも光学部材の各側面の他方の側に配置されることになる。更に、保持部材は、光学部材の互いに反対方向に向く各側面の一方に当接して、各側面の他方の側へと延在するものであるから、保持部材の殆どの部分が光学部材の各側面の他方の側に配置されることになる。従って、調節部が光学部材の各側面の他方の側に概ねまとめて配置され、調節部の配置スペースが低減され、光走査装置の小型化を図ることができる。
【００１５】
また、本発明の光走査装置においては、前記保持部材は、前記光学部材の各側面の一方から他方の側へと延在する胴板と、前記胴板の一端で折り曲げられて前記各側面の一方に接する保持板と、前記胴板の他端で前記保持板とは反対側に折り曲げられて前記変位部材に接する当接板とを有している。
【００１６】
このような保持部材を用いれば、保持部材の保持板を光学部材の各側面の一方に当接させ、保持部材の当接板を変位部材に接触させることができ、また保持部材の殆どの部分が光学部材の各側面の他方の側に配置される。
【００１７】
更に、本発明の光走査装置においては、前記変位部材は、軸部と、前記軸部の中心に対して偏芯して設けられた頭部とを有する雄ネジであり、前記雄ネジの頭部が、前記押圧部材による押圧方向に向く前記保持部材の当接板の面に接している。
【００１８】
この場合は、押圧部材により光学部材の各側面の他方が押圧されて、光学部材の各側面の一方が保持部材に押し付けられると、保持部材が押圧部材による押圧方向に変位して、雄ネジの頭部がその押圧方向に向く保持部材の当接板の面に押圧される。そして、雄ネジの頭部が該雄ネジの軸部の中心に対して偏芯していることから、雄ネジが回転されると、雄ネジの頭部の周面に追従して保持部材の当接板の面が変位し、保持部材と共に光学部材が変位する。従って、雄ネジを回転させることにより光学部材を変位させることができる。
【００１９】
また、本発明の光走査装置においては、前記雄ネジの軸部のねじ込み方向に向く前記雄ネジの頭部の角部に、面取り加工を施している。
【００２０】
この場合は、雄ネジがねじ込まれて、雄ネジの頭部の角部が保持部材の当接板に摺接して当接板を押し退けるので、雄ネジが保持部材の当接板に突き当たって停止することはない。
【００２１】
更に、本発明の光走査装置においては、前記雄ネジの頭部に接する前記保持部材の当接板には、前記雄ネジの軸部のねじ込み方向で該軸部に近づく傾斜面が形成されている。
【００２２】
この場合は、雄ネジがねじ込まれると、雄ネジの頭部が保持部材の当接板の傾斜面に摺接して当接板を押し退けるので、雄ネジが保持部材の当接板に突き当たって停止することはない。
【００２３】
一方、本発明の画像形成装置は、上記本発明の光走査装置を備え、前記光走査装置により被走査体上に潜像を形成し、前記被走査体上の潜像を可視像に現像して、前記可視像を前記被走査体から用紙に転写形成している。
【００２４】
このような画像形成装置においても、上記本発明の光走査装置と同様の作用効果を奏する。
【発明の効果】
【００２５】
本発明では、押圧部材が光学部材の各側面の他方を押圧して、光学部材の各側面の一方が保持部材に押し付けられて当接する。従って、押圧部材と保持部材との間に光学部材が挟み込まれて保持される。
【００２６】
そして、変位部材は、光学部材の各側面の他方の側で保持部材に接して、保持部材を変位させる。このとき、押圧部材と保持部材との間に光学部材が挟み込まれて保持された状態で、光学部材が保持部材と共に変位する。
【００２７】
また、押圧部材が光学部材の各側面の他方を押圧し、変位部材が光学部材の各側面の他方の側で保持部材に接することから、押圧部材及び変位部材のいずれも光学部材の各側面の他方の側に配置されることになる。更に、保持部材は、光学部材の互いに反対方向に向く各側面の一方に当接して、各側面の他方の側へと延在するものであるから、保持部材の殆どの部分が光学部材の各側面の他方の側に配置されることになる。従って、調節部が光学部材の各側面の他方の側に概ねまとめて配置され、調節部の配置スペースが低減され、光走査装置の小型化を図ることができる。
【図面の簡単な説明】
【００２８】
【図１】本発明の光走査装置の一実施形態を備えた画像形成装置を示す断面図である。
【図２】光走査装置の筐体の内部を斜め上方から視て示す斜視図であって、上蓋を外した状態を示している。
【図３】光走査装置の複数の光学部材を抽出して示す斜視図であり、図２の背面側から視た状態を示している。
【図４】光走査装置の複数の光学部材を抽出して示す平面図である。
【図５】光走査装置の複数の光学部材を抽出して示す側面図である。
【図６】光走査装置のミラーの両端近傍に設けられた第１及び第２調節部を示す斜視図である。
【図７】（ａ）、（ｂ）は、第１調節部を拡大して示す正面図であり、第１調節部の動作を示している。
【図８】（ａ）、（ｂ）は、第１調節部を背面から視て拡大して示す背面図であり、第１調節部の動作を示している。
【図９】（ａ）、（ｂ）は、第１調節部を拡大して示す断面図であり、第１調節部の動作を示している。
【図１０】第１調節部の保持部材を示す斜視図である。
【図１１】第１調節部のバネ部材を示す斜視図である。
【図１２】第１調節部の偏芯ビスを示す斜視図である。
【図１３】（ａ）、（ｂ）は、第１調節部の偏芯ビスとその比較例を示す断面図である。
【図１４】第１調節部の保持部材及び偏芯ビスの変形例を示す図である。
【図１５】第２調節部を拡大して示す斜視図である。
【図１６】（ａ）、（ｂ）は、第２調節部を背面から視て拡大して示す背面図であり、第２調節部の動作を示している。
【図１７】従来のミラーの保持構造を模式的に示す側面図である。
【図１８】（ａ）、（ｂ）は、第１調節部を適用した光走査装置の筐体及び図１７のバネ及び偏芯カムを適用した光走査装置の筐体を示す側面図である。
【発明を実施するための形態】
【００２９】
以下、本発明の実施形態を添付図面に基づき説明する。
【００３０】
図１は、本発明の光走査装置の一実施形態を備えた画像形成装置を示す断面図である。この画像形成装置１においては、ブラック（Ｋ）、シアン（Ｃ）、マゼンタ（Ｍ）、イエロー（Ｙ）の各色を用いたカラー画像、又は単色（例えばブラック）を用いたモノクロ画像を記録用紙に印刷する。このため、現像装置１２、感光体ドラム１３、ドラムクリーニング装置１４、及び帯電装置１５等は、各色に応じた４種類のトナー像を形成するためにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００３１】
各画像ステーションＰａ、Ｐｂ、Ｐｃ、Ｐｄのいずれにおいても、ドラムクリーニング装置１４により感光体ドラム１３表面の残留トナーを除去及び回収した後、帯電装置１５により感光体ドラム１３の表面を所定の電位に均一に帯電させ、光走査装置１１により感光体ドラム１３表面を露光して、その表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００３２】
引き続いて、中間転写ベルト２１を矢印方向Ｃに周回移動させつつ、ベルトクリーニング装置２２により中間転写ベルト２１の残留トナーを除去及び回収した後、各感光体ドラム１３表面の各色のトナー像を中間転写ベルト２１に順次転写して重ね合わせ、中間転写ベルト２１上にカラーのトナー像を形成する。
【００３３】
中間転写ベルト２１と２次転写装置２３の転写ローラ２３ａとの間にはニップ域が形成されており、Ｓ字状の用紙搬送経路Ｒ１を通じて搬送されて来た記録用紙をそのニップ域に挟み込んで搬送しつつ、中間転写ベルト２１表面のカラーのトナー像を記録用紙上に転写する。そして、定着装置１７の加熱ローラ２４と加圧ローラ２５との間に記録用紙を挟み込んで加熱及び加圧し、記録用紙上のカラーのトナー像を定着させる。
【００３４】
一方、記録用紙は、ピックアップローラ３３により給紙カセット１８から引出されて、用紙搬送経路Ｒ１を通じて搬送され、２次転写装置２３や定着装置１７を経由し、排紙ローラ３６を介して排紙トレイ３９へと搬出される。この用紙搬送経路Ｒ１には、記録用紙を一旦停止させて、記録用紙の先端を揃えた後、中間転写ベルト２１と転写ローラ２３ａ間のニップ域でのトナー像の転写タイミングに合わせて記録用紙の搬送を開始するレジストローラ３４、及び記録用紙の搬送を促す搬送ローラ３５等が配置されている。
【００３５】
次に、本実施形態の光走査装置１１の構成を、図２乃至図５を用いて詳細に説明する。図２は、図１の光走査装置１１の筐体４１の内部を斜め上方から視て示す斜視図であって、上蓋を外した状態を示している。また、図３は、光走査装置１１の複数の光学部材を抽出して示す斜視図であり、図２の背面側から視た状態を示している。更に、図４及び図５は、光走査装置１１の複数の光学部材を抽出して示す平面図及び側面図である。尚、図５には、光走査装置１１外側に配置された各感光体ドラム１３も示されている。
【００３６】
筐体４１は、矩形状の底板４１ａ及び底板４１ａを囲む４つの側板４１ｂ、４１ｃを有している。底板４１ａの略中央には、平面視すると正方形のポリゴンミラー４２が配置されている。また、底板４１ａの略中央にポリゴンモータ４３が固定され、ポリゴンモータ４３の回転軸にポリゴンミラー４２の回転中心が接続固定され、ポリゴンモータ４３によりポリゴンミラー４２が回転される。
【００３７】
また、筐体４１の１つの側板４１ｂの外側には、２個の第１半導体レーザ４４ａ、４４ｂ及び２個の第２半導体レーザ４５ａ、４５ｂ（合計４個の半導体レーザ）を搭載した駆動基板４６が固定されている。各第１半導体レーザ４４ａ、４４ｂ及び各第２半導体レーザ４５ａ、４５ｂは、側板４１ｂに形成されたそれぞれの孔を通じて筐体４１の内側を臨む。
【００３８】
各第１半導体レーザ４４ａ、４４ｂと各第２半導体レーザ４５ａ、４５ｂとは、ポリゴンミラー４２の回転中心を通って主走査方向Ｘに延びる仮想直線Ｍを想定すると、仮想直線Ｍを中心にして対称に配置されている。尚、主走査方向Ｘと直交する方向を副走査方向Ｙとし、主走査方向Ｘ及び副走査方向Ｙと直交する方向（ポリゴンモータ４３の回転軸の長手方向）を高さ方向Ｚとする。
【００３９】
駆動基板４６は、平板状のプリント基板であって、各第１半導体レーザ４４ａ、４４ｂ及び各第２半導体レーザ４５ａ、４５ｂを駆動する回路を有している。各第１半導体レーザ４４ａ、４４ｂ及び各第２半導体レーザ４５ａ、４５ｂは、平板状のプリント基板に搭載されることにより概ね同一の平面（ＹＺ平面）上に配置され、またその平面に対しては垂直方向（主走査方向Ｘ）にかつ筐体４１の内側向きにそれぞれの光ビームＬ１〜Ｌ４を出射する。
【００４０】
駆動基板４６（ＹＺ平面）上では、各第１半導体レーザ４４ａ、４４ｂが副走査方向Ｙ及び高さ方向Ｚにおいて互いに異なる位置に配置され、同様に各第２半導体レーザ４５ａ、４５ｂも副走査方向Ｙ及び高さ方向Ｚにおいて互いに異なる位置に配置されている。
【００４１】
また、各第１半導体レーザ４４ａ、４４ｂの光ビームＬ１、Ｌ２をポリゴンミラー４２へと導く第１入射光学系５１と、各第２半導体レーザ４５ａ、４５ｂの光ビームＬ３、Ｌ４をポリゴンミラー４２へと導く第２入射光学系５２とを設けている。第１入射光学系５１は、２個のコリメータレンズ５３ａ、５３ｂ、２個のアパーチャー５４、第１半導体レーザ４４ａと同一高さに配置された２個のミラー５５ａ、５５ｂ、及びシリンドリカルレンズ５６等からなる。同様に、第２入射光学系５２は、２個のコリメータレンズ５７ａ、５７ｂ、２個のアパーチャー５８、第２半導体レーザ４５ｂと同一高さに配置された２個のミラー５９ａ、５９ｂ、及びシリンドリカルレンズ５６等からなる。第１入射光学系５１の各コリメータレンズ５３ａ、５３ｂ、各アパーチャー５４、及び各ミラー５５ａ、５５ｂと、第２入射光学系５２の各コリメータレンズ５７ａ、５７ｂ、各アパーチャー５８、及び各ミラー５９ａ、５９ｂとは、仮想直線Ｍを中心にして対称に配置されている。また、仮想直線Ｍは、シリンドリカルレンズ５６の中心を通っており、仮想直線Ｍにより区分されるシリンドリカルレンズ５６の片側半分が第１入射光学系５１に配置され、シリンドリカルレンズ５６の他の片側半分が第２入射光学系５２に配置されている。
【００４２】
更に、ポリゴンミラー４２で反射された各第１半導体レーザ４４ａ、４４ｂの光ビームＬ１、Ｌ２をブラック及びシアンに対応する２つの感光体ドラム１３へと導く第１結像光学系６１と、ポリゴンミラー４２で反射された各第２半導体レーザ４５ａ、４５ｂの光ビームＬ３、Ｌ４をマゼンタ及びイエローに対応する２つの感光体ドラム１３へと導く第２結像光学系６２とを設けている。第１結像光学系６１は、ｆθレンズ６３及び４つの各ミラー６４ａ、６４ｂ、６４ｃ、６４ｄ等からなる。同様に、第２結像光学系６２は、ｆθレンズ６５及び４つの各ミラー６６ａ、６６ｂ、６６ｃ、６６ｄ等からなる。第１結像光学系６１のｆθレンズ６３及び各ミラー６４ａ、６４ｂ、６４ｃ、６４ｄと、第２結像光学系６２のｆθレンズ６５及び各ミラー６６ａ、６６ｂ、６６ｃ、６６ｄとは、仮想直線Ｍを中心にして対称に配置されている。
【００４３】
また、第１結像光学系６１側にＢＤミラー７１、及びＢＤセンサ７２を搭載したＢＤ基板７３を設け、第２結像光学系６２側にもＢＤミラー７４、及びＢＤセンサ７５を搭載したＢＤ基板７６を設けている。第１結像光学系６１側のＢＤミラー７１及びＢＤセンサ７２と、第２結像光学系６２側のＢＤミラー７４及びＢＤセンサ７５とは、仮想直線Ｍを中心にして対称に配置されている。
【００４４】
次に、各第１半導体レーザ４４ａ、４４ｂの光ビームＬ１、Ｌ２がそれぞれの感光体ドラム１３に入射するまでの各光路、及び各第２半導体レーザ４５ａ、４５ｂの光ビームＬ３、Ｌ４がそれぞれの感光体ドラム１３に入射するまでの各光路について説明する。
【００４５】
まず、第１入射光学系５１において、第１半導体レーザ４４ａの光ビームＬ１は、コリメータレンズ５３ａを透過して平行光にされ、アパーチャー５４で絞られて、各ミラー５５ａ、５５ｂに入射して反射され、シリンドリカルレンズ５６を透過してポリゴンミラー４２の反射面４２ａに入射する。また、第１半導体レーザ４４ｂの光ビームＬ２は、コリメータレンズ５３ｂを透過して平行光にされ、アパーチャー５４で絞られて、ミラー５５ｂの下方（高さ方向Ｚの下向き）の空きスペースＥを通過し、シリンドリカルレンズ５６を透過してポリゴンミラー４２の反射面４２ａに入射する。シリンドリカルレンズ５６は、高さ方向Ｚのみについて、各光ビームＬ１、Ｌ２をポリゴンミラー４２の反射面４２ａで略収束するように集光して出射する。
【００４６】
ここで、駆動基板４６（ＹＺ平面）上では各第１半導体レーザ４４ａ、４４ｂが高さ方向Ｚにおいて互いに異なる位置に配置されているものの、各第１半導体レーザ４４ａ、４４ｂの光ビームＬ１、Ｌ２の出射方向又は各ミラー５５ａ、５５ｂの向きの設定により、ポリゴンミラー４２の反射面４２ａ上で各光ビームＬ１、Ｌ２の入射スポットが略重なるようにされている。このため、各第１半導体レーザ４４ａ、４４ｂの光ビームＬ１、Ｌ２が斜め上方向及び斜め下方向からポリゴンミラー４２の反射面４２ａへと入射する。また、Ｚ方向に視ると、各光ビームＬ１、Ｌ２が同一直線上に重なった状態で反射面４２ａへと入射する。
【００４７】
そして、第１結像光学系６１においては、ポリゴンミラー４２の反射面４２ａで反射された各光ビームＬ１、Ｌ２が斜め下方向及び斜め上方向へと互いに離れて行く。一方の光ビームＬ１は、ポリゴンミラー４２の反射面４２ａで斜め下方向に反射され、ｆθレンズ６３を透過して１つのミラー６４ａで反射され、ブラックのトナー像が形成される感光体ドラム１３に入射する。また、他方の光ビームＬ２は、ポリゴンミラー４２の反射面４２ａで斜め上方向に反射され、ｆθレンズ６３を透過して３つのミラー６４ｂ、６４ｃ、６４ｄで順次反射され、シアンのトナー像が形成される感光体ドラム１３に入射する。
【００４８】
また、ポリゴンミラー４２は、ポリゴンモータ４３により等角速度で回転されて、各反射面４２ａで各光ビームＬ１、Ｌ２を逐次反射し、各光ビームＬ１、Ｌ２を主走査方向Ｘに繰り返し等角速度で偏向させる。ｆθレンズ６３は、主走査方向Ｘ及び副走査方向Ｙのいずれについても各光ビームＬ１、Ｌ２をそれぞれの感光体ドラム１３の表面で所定のビーム径となるように集光して出射し、かつポリゴンミラー４２により主走査方向Ｘに等角速度で偏向されている各光ビームＬ１、Ｌ２をそれぞれの感光体ドラム１３上の主走査線に沿って等線速度で移動するように変換する。これにより、各光ビームＬ１、Ｌ２がそれぞれの感光体ドラム１３の表面を主走査方向Ｘに繰返し走査する。
【００４９】
また、一方の光ビームＬ１は、各光ビームＬ１、Ｌ２による各感光体ドラム１３の主走査が開始される直前に、ＢＤミラー７１で反射されてＢＤセンサ７２に入射する。ＢＤセンサ７２は、各感光体ドラム１３の主走査が開始される直前のタイミングで光ビームＬ１を受光して、この主走査開始直前のタイミングを示すＢＤ信号を出力する。このＢＤ信号に基づき各光ビームＬ１、Ｌ２による各感光体ドラム１３の主走査開始時点が設定され、ブラック及びシアンの各画像データに応じた各光ビームＬ１、Ｌ２の変調が開始される。
【００５０】
その一方で、ブラック及びシアンのトナー像が形成される各感光体ドラム１３が回転駆動されて、各光ビームＬ１、Ｌ２により該各感光体ドラム１３の２次元表面（周面）が走査され、該各感光体ドラム１３の表面にそれぞれの静電潜像が形成される。
【００５１】
次に、第２入射光学系５２において、第２半導体レーザ４５ａの光ビームＬ３は、コリメータレンズ５７ａを透過して平行光にされ、アパーチャー５８で絞られて、ミラー５９ａの下方（高さ方向Ｚの下向き）の空きスペースＥを通過し、シリンドリカルレンズ５６を透過してポリゴンミラー４２の反射面４２ａに入射する。また、第２半導体レーザ４５ｂの光ビームＬ４は、コリメータレンズ５７ｂを透過して平行光にされ、アパーチャー５８で絞られて、各ミラー５９ａ、５９ｂに入射して反射され、シリンドリカルレンズ５６を透過してポリゴンミラー４２の反射面４２ａに入射する。
【００５２】
また、駆動基板４６（ＹＺ平面）上では各第２半導体レーザ４５ａ、４５ｂが高さ方向Ｚにおいて互いに異なる位置に配置されているものの、各第２半導体レーザ４５ａ、４５ｂの光ビームＬ３、Ｌ４の出射方向又は各ミラー５９ａ、５９ｂの向きの設定により、ポリゴンミラー４２の反射面４２ａ上で各光ビームＬ３、Ｌ４の入射スポットが略重なるようにされている。このため、各第２半導体レーザ４５ａ、４５ｂの光ビームＬ３、Ｌ４が斜め下方向及び斜め上方向からポリゴンミラー４２の反射面４２ａへと入射する。また、Ｚ方向に視ると、各光ビームＬ３、Ｌ４が同一直線上に重なった状態で反射面４２ａへと入射する。
【００５３】
そして、第２結像光学系６２においては、ポリゴンミラー４２の反射面４２ａで反射された各光ビームＬ３、Ｌ４が斜め上方向及び斜め下方向へと互いに離れて行く。一方の光ビームＬ３は、ポリゴンミラー４２の反射面４２ａで斜め上方向に反射され、ｆθレンズ６５を透過して３つのミラー６６ｂ、６６ｃ、６６ｄで順次反射されて、マゼンタのトナー像が形成される感光体ドラム１３に入射する。また、他方の光ビームＬ４は、ポリゴンミラー４２の反射面４２ａで斜め下方向に反射され、ｆθレンズ６５を透過して１つのミラー６６ａで反射されて、イエローのトナー像が形成される感光体ドラム１３に入射する。
【００５４】
また、他方の光ビームＬ４は、各光ビームＬ３、Ｌ４による各感光体ドラム１３の主走査が開始される直前に、ＢＤミラー７４で反射されてＢＤセンサ７５に入射し、ＢＤセンサ７５からは各光ビームＬ３、Ｌ４による各感光体ドラム１３の主走査開始直前のタイミングを示すＢＤ信号が出力され、このＢＤ信号に応じてシアン及びブラックのトナー像が形成される各感光体ドラム１３の主走査の開始タイミングが判定され、シアン及びブラックの各画像データに応じた各光ビームＬ３、Ｌ４の変調が開始される。
【００５５】
その一方で、マゼンタ及びイエローのトナー像が形成される各感光体ドラム１３が回転駆動されて、各光ビームＬ３、Ｌ４により該各感光体ドラム１３の２次元表面（周面）が走査され、該各感光体ドラム１３の表面にそれぞれの静電潜像が形成される。
【００５６】
このような構成の光走査装置１１においては、筐体４１の底板４１ａの略中央にポリゴンミラー４２を配置し、ポリゴンミラー４２の回転中心を通る仮想直線Ｍを中心にして、各第１半導体レーザ４４ａ、４４ｂと各第２半導体レーザ４５ａ、４５ｂとを対称に配置し、第１入射光学系５１と第２入射光学系５２とを対称に配置し、第１結像光学系６１と第２結像光学系６２とを対称に配置しているので、側方から視ると、ポリゴンミラー４２、各第１半導体レーザ４４ａ、４４ｂ、各第２半導体レーザ４５ａ、４５ｂ、第１入射光学系５１、及び第２入射光学系５２等を小さなスペースに集約させて、光走査装置１１を小型化することができる。
【００５７】
ところで、このような光走査装置１１においては、光ビームＬ１は、ミラー６４ａで最後に反射されてから、ブラックのトナー像が形成される感光体ドラム１３に入射する。また、光ビームＬ２は、ミラー６４ｄで最後に反射されてから、シアンのトナー像が形成される感光体ドラム１３に入射する。更に、光ビームＬ３は、ミラー６６ｄで最後に反射されてから、マゼンタのトナー像が形成される感光体ドラム１３に入射する。また、光ビームＬ４は、ミラー６６ａで最後に反射されてから、イエローのトナー像が形成される感光体ドラム１３に入射する。このため、各ミラー６４ａ、６４ｄ、６６ｄ、６６ａの反射面の向きを高精度で調節して、各光ビームＬ１〜Ｌ４による各感光体ドラム１３表面の走査位置を正確に設定する必要がある。
【００５８】
また、その一方で、各ミラー６４ａ、６４ｄ、６６ｄ、６６ａの反射面の向きを調節する調節部が大型化すると、光走査装置１１も大型化してしまう。このため、本実施形態では、各ミラー６４ａ、６４ｄ、６６ｄ、６６ａの反射面の向きを調節するための調節部の小型化を図っている。
【００５９】
尚、光ビームＬ２は、各ミラー６４ｂ、６４ｃで反射され更に各ミラー６４ｄで最後に反射されてから感光体ドラム１３に入射するので、各ミラー６４ｂ、６４ｃの反射面の向きに誤差があっても、最後のミラー６４ｄの反射面の向きを調節すれば、感光体ドラム１３表面の走査位置を正確に設定することができる。同様に、光ビームＬ３を反射する各ミラー６６ｂ、６６ｃ、６６ｄについても、各ミラー６６ｂ、６６ｃの反射面の向きに誤差があっても、最後のミラー６６ｄの反射面の向きを調節すれば、感光体ドラム１３表面の走査位置を正確に設定することができる。このため、各ミラー６４ｂ、６４ｃ、６６ｂ、６６ｃの反射面の向きを調節する調節部を設けてはおらず、各ミラー６４ｂ、６４ｃ、６６ｂ、６６ｃの両端を、筐体４１の各側板４１ｂに形成されたそれぞれの嵌合凹所に載せて、それぞれの板バネにより押え付けて保持し、各ミラー６４ｂ、６４ｃ、６６ｂ、６６ｃの反射面の向きを略良好な精度で設定している。
【００６０】
次に、各ミラー６４ａ、６４ｄ、６６ｄ、６６ａの反射面の向きを調節するための調節部について詳しく説明する。ここでは、ミラー６４ａの調節部を代表例に挙げて説明するが、他の各ミラー６４ｄ、６６ｄ、６６ａの調節部もミラー６４ａの調節部と全く同様の構成である。
【００６１】
図６は、ミラー６４ａの両端近傍に設けられた第１及び第２調節部１０１、１０２を示す斜視図である。図６に示すように筐体４１の各側板４１ｂの一方には、ミラー６４ａの一端を主走査方向Ｘと直交する矢印方向Ａ、Ｂに変位させる第１調節部１０１が設けられ、各側板４１ｂの他方には、ミラー６４ａの他端を主走査方向Ｘの軸周りで矢印方向Ｄ、Ｅに変位させる第２調節部１０２が設けられている。第１調節部１０１によりミラー６４ａの一端を矢印方向Ａ、Ｂに変位させ、第２調節部１０２によりミラー６４ａの他端を矢印方向Ｄ、Ｅに回転させ、これによりミラー６４ａの反射面の向きを調節して、光ビームＬ１による感光体ドラム１３表面の走査位置を正確に設定する。
【００６２】
まず、ミラー６４ａの一端を矢印方向Ａ、Ｂに変位させる第１調節部１０１について詳しく説明する。図７（ａ）、（ｂ）は、第１調節部１０１を拡大して示す正面図である。また、図８（ａ）、（ｂ）は、第１調節部１０１を背面から視て拡大して示す背面図であり、図９（ａ）、（ｂ）は、第１調節部１０１を拡大して示す断面図である。
【００６３】
図７（ａ）、図８（ａ）、及び図９（ａ）に示すように第１調節部１０１は、ミラー６４ａの一端を保持する保持部材１１１と、ミラー６４ａの一端を押圧するバネ部材１１２と、保持部材１１１を矢印方向Ａ、Ｂに変位させるために回転される偏芯ビス１１３とを備えている。
【００６４】
図１０は、保持部材１１１を示す斜視図である。図１０に示すように保持部材１１１は、胴板１１１ｂと、胴板１１１ｂの一端で折り曲げられた保持板１１１ｃと、胴板１１１ｂの他端で保持板１１１ｃとは反対側に折り曲げられた当接板１１１ｄとを有しており、保持部材１１１を側面視すると概ねＺ字型となっている。胴板１１１ｂには長形孔１１１ａが形成され、また保持板１１１ｃには凸部１１１ｅが形成されている。
【００６５】
図１１は、バネ部材１１２を示す斜視図である。図１１に示すようにバネ部材１１２は、主板１１２ａと、主板１１２ａの一端で折り曲げられた側板１１２ｂとを有しており、バネ部材１１２を側面視すると概ねＬ字型となっている。主板１１２ａには大矩形孔１１２ｃ及び小孔１１２ｄが打ち抜かれ、大矩形孔１１２ｃの内側にバネ片１１２ｅが形成され、バネ片１１２ｅが主板１１２ａから斜め下方に起こされて屈曲されている。
【００６６】
図１２は、偏芯ビス１１３を示す斜視図である。偏芯ビス１１３は、雄ネジの溝が形成された軸部１１３ａと、軸部１１３ａの中心に対して偏芯して設けられた頭部１１３ｂとを有している。軸部１１３ａのねじ込み方向（軸部１１３ａの先端側）に向く頭部１１３ｂの角部１１３ｃは、面取り加工が施されたＲ面となっている。
【００６７】
ここで、図７（ａ）及び図９（ａ）に示すように筐体４１の側板４１ｂには一対のガイドレール４１ｆと、開口孔４１ｇとが形成されおり、保持部材１１１の胴板１１１ｂが側板４１ｂの各ガイドレール４１ｆの内側に配置され、保持部材１１１の保持板１１１ｃが側板４１ｂの開口孔４１ｇを通じて筐体４１の内側に突出している。各ガイドレール４１ｆは、互いに平行であって矢印方向Ａ、Ｂに沿って長く、保持部材１１１の胴板１１１ｂを挟み込んで矢印方向Ａ、Ｂにガイドする。保持部材１１１の胴板１１１ｂが各ガイドレール４１ｆの間で矢印方向Ａ、Ｂに移動されて、保持部材１１１の保持板１１１ｃが側板４１ｂの開口孔４１ｇの内側で矢印方向Ａ、Ｂに移動される。
【００６８】
この状態で、図１３（ａ）に示すように偏芯ビス１１３の軸部１１３ａが保持部材１１１の胴板１１１ｂの長形孔１１１ａを通じて筐体４１の側板４１ｂにねじ込まれる。このとき、偏芯ビス１１３の頭部１１３ｂの角部１１３ｃがＲ面になっていることから、偏芯ビス１１３の頭部１１３ｂの角部１１３ｃが保持部材１１１の当接板１１１ｄに摺接して当接板１１１ｄを押し退け、偏芯ビス１１３の頭部１１３ｂが当接板１１１ｄの下側に侵入する。
【００６９】
仮に、図１３（ｂ）に示すように偏芯ビス１１３の頭部１１３ｂの角部１１３ｃが直角であった場合は、偏芯ビス１１３の頭部１１３ｂが保持部材１１１の当接板１１１ｄに突き当たって停止し、偏芯ビス１１３の頭部１１３ｂが当接板１１１ｄの下側に侵入しないことがある。
【００７０】
尚、偏芯ビス１１３の頭部１１３ｂの角部１１３ｃをＲ面にする代わりに、図１４に示すように保持部材１１１の当接板１１１ｄに、偏芯ビス１１３の軸部１１３ａのねじ込み方向で該偏芯ビス１１３の軸部１１３ａに近づくような傾斜面１１１ｆを設け、傾斜面１１１ｆよりも内側にねじ込み方向と平行な当接面１１１ｇを設けても良い。この場合は、偏芯ビス１１３の頭部１１３ｂの角部１１３ｃが直角であっても、偏芯ビス１１３の軸部１１３ａがねじ込まれると、偏芯ビス１１３の頭部１１３ｂが傾斜面１１１ｆに摺接して当接板１１１ｄを押し退け、偏芯ビス１１３の頭部１１３ｂが当接板１１１ｄの当接面１１１ｇの下側に侵入する。
【００７１】
図７（ａ）、図８（ａ）、及び図９（ａ）に示すように偏芯ビス１１３の頭部１１３ｂが当接板１１１ｄの下側に侵入すると、偏芯ビス１１３の頭部１１３ｂの周面が保持部材１１１の当接板１１１ｄの下面に当接する。この状態では、保持部材１１１の長形孔１１１ａの両端が偏芯ビス１１３の軸部１１３ａに突き当たるまでの範囲で、保持部材１１１が矢印方向Ａ、Ｂに移動可能である。
【００７２】
また、図８（ａ）及び図９（ａ）に示すように筐体４１の側板４１ｂの内側には支持片４１ｈが設けられて、支持片４１ｈの下面に凸部４１ｉが形成されており、バネ部材１１２の側板１１２ｂが筐体４１の側板４１ｂの内側面に当接され、バネ部材１１２の主板１１２ａが支持片４１ｈの下面に重ね合わされて、支持片４１ｈの下面の凸部４１ｉがバネ部材１１２の小孔１１２ｄに嵌合され、バネ部材１１２が配置される。そして、ミラー６４ａの一端がバネ部材１１２のバネ片１１２ｅと保持部材１１１の保持板１１１ｃとの間に挿入されて、ミラー６４ａの裏面が保持部材１１１の保持板１１１ｃの凸部１１１ｅに当接し、バネ片１１２ｅによりミラー６４ａの反射面が該ミラー６４ａの裏面と保持板１１１ｃの凸部１１１ｅとの当接箇所の側に押圧されて、ミラー６４ａの一端がバネ片１１２ｅと保持板１１１ｃの凸部１１１ｅとの間に挟み込まれて保持される。
【００７３】
このような構成の第１調節部１０１において、図７（ａ）、図８（ａ）、及び図９（ａ）に示すように偏芯ビス１１３の軸部１１３ａの中心からの距離が最も短い頭部１１３ｂの周面部位が保持部材１１１の当接板１１１ｄの下面に当接するような回転角度に偏芯ビス１１３を回転させた場合は、ミラー６４ａの一端がバネ片１１２ｅと保持板１１１ｃの凸部１１１ｅとの間に挟み込まれて保持されつつ、保持部材１１１の当接板１１１ｄの下面が偏芯ビス１１３の頭部１１３ｂに当接するまで、バネ片１１２ｅにより保持部材１１１及びミラー６４ａの一端が矢印方向Ａに押されて変位する。このとき、ミラー６４ａの他端が第２調節部１０２で弾性的に保持されていることから、ミラー６４ａの反射面がその他端を中心にして矢印方向Ａに回転する。
【００７４】
また、図７（ｂ）、図８（ｂ）、及び図９（ｂ）に示すように偏芯ビス１１３の軸部１１３ａの中心からの距離が最も長い頭部１１３ｂの周面部位が保持部材１１１の当接板１１１ｄの下面に当接するような回転角度に偏芯ビス１１３を回転させた場合は、ミラー６４ａの一端がバネ片１１２ｅと保持板１１１ｃの凸部１１１ｅとの間に挟み込まれて保持されつつ、保持部材１１１の当接板１１１ｄの下面が偏芯ビス１１３の頭部１１３ｂにより押し上げられ、保持部材１１１及びミラー６４ａの一端がバネ片１１２ｅの押圧力に抗して矢印方向Ｂに変位し、ミラー６４ａの反射面がその他端を中心にして矢印方向Ｂに回転する。
【００７５】
従って、偏芯ビス１１３の回転角度を調節することにより、保持部材１１１と共にミラー６４ａの一端を矢印方向Ａ、Ｂに変位させて、ミラー６４ａの反射面を該ミラー６４ａの他端を中心にして矢印方向Ａ、Ｂに回転させ、矢印方向Ａ、Ｂにおいてミラー６４ａの反射面の向きを適宜設定することができる。
【００７６】
また、図７（ａ）、（ｂ）、図８（ａ）、（ｂ）、及び図９（ａ）、（ｂ）から明らかなようにバネ部材１１２及び偏芯ビス１１３がミラー６４ａの反射面の側に配置され、また保持部材１１１がミラー６４ａの裏面から反射面の側へと延在するものであって、保持部材１１１の殆どの部分がミラー６４ａの反射面の側に配置されている。従って、第１調節部１０１がミラー６４ａの反射面の側に概ねまとめて配置されており、これにより第１調節部１０１の配置スペースの高さが低くされている。このため、光走査装置１１の小型化を図ることができる。
【００７７】
次に、図６に示すようにミラー６４ａの他端を矢印方向Ｄ、Ｅに回転させる第２調節部１０２について詳しく説明する。図１５は、第２調節部１０２を拡大して示す斜視図である。また、図１６（ａ）、（ｂ）は、第２調節部を背面から視て拡大して示す背面図である。
【００７８】
図１５及び図１６（ａ）に示すように第２調節部１０２は、ミラー６４ａの他端の裏面及び側面にそれぞれ当接する第１凸部１２１及び第２凸部１２２と、ミラー６４ａの他端の反射面を押圧するバネ部材１２３と、ミラー６４ａの他端を矢印方向Ｄ、Ｅに回転させるために回転される調節ビス１２４とを備えている。
【００７９】
筐体４１の底板４１ａの角には、台部４１ｊが形成され、台部４１ｊの側部には、ミラー６４ａの裏面と概ね平行な傾斜面４１ｋが形成されている。この傾斜面４１ｋに第１凸部１２１が設けられ、傾斜面４１ｋと直交する面に第２凸部１２２が設けられている。バネ部材１２３は、図１１に示すバネ部材１１２と同一のものであり、主板１２３ａ、側板１２３ｂ、及びバネ片１２３ｅ等を有している。調節ビス１２４は、雄ネジの溝が形成された軸部１２４ａと、軸部１２４ａと同芯状の頭部１２４ｂとを有している。
【００８０】
ここで、筐体４１の側板４１ｂの内側には支持片４１ｈが設けられて、支持片４１ｈの下面に凸部４１ｉが形成されており、バネ部材１２３の側板１２３ｂが筐体４１の側板４１ｂの内側面に当接され、バネ部材１２３の主板１２３ａが支持片４１ｈの下面に重ね合わされて、支持片４１ｈの下面の凸部４１ｉがバネ部材１２３の主板１２３ａの小孔（図示せず）に嵌合され、バネ部材１２３が配置される。そして、ミラー６４ａの他端がバネ部材１２３のバネ片１２３ｅと第１凸部１２１並びに調節ビス１２４の頭部１２４ｂとの間に挿入され、バネ片１２３ｅによりミラー６４ａの反射面が第１凸部１２１並びに調節ビス１２４の頭部１２４ｂの側に押圧されて、ミラー６４ａの他端がバネ片１２３ｅと第１凸部１２１並びに調節ビス１２４の頭部１２４ｂとの間に挟み込まれ、またミラー６４ａの側面が第２凸部１２２に当接して保持される。
【００８１】
この状態では、第１凸部１２１は、ミラー６４ａの中心Ｇから該ミラー６４ａの一辺寄りにずれた該ミラー６４ａの裏面の部位に当接する。また、調節ビス１２４の頭部１２４ｂは、ミラー６４ａの中心Ｇから該ミラー６４ａの他辺寄りにずれた該ミラー６４ａの裏面の部位に当接する。
【００８２】
このような構成の第２調節部１０２において、図１６（ａ）に示すように調節ビス１２４を台部４１ｊにねじ込んで、調節ビス１２４の頭部１２４ｂを下降させた場合は、ミラー６４ａの他端がバネ片１２３ｅと第１凸部１２１並びに調節ビス１２４の頭部１２４ｂとの間に挟み込まれて保持されつつ、ミラー６４ａの他辺側が調節ビス１２４の頭部１２４ｂに追従して下降し、ミラー６４ａの裏面と第１凸部１２１との当接箇所を中心にして該ミラー６４ａの他端が主走査方向Ｘの軸周りで矢印方向Ｄに回転する。このとき、ミラー６４ａの一端が第１調節部１０１で弾性的に保持されていることから、ミラー６４ａの両端が矢印方向Ｄに回転して、ミラー６４ａの反射面が矢印方向Ｄに回転する。
【００８３】
また、図１６（ｂ）に示すように調節ビス１２４をねじ込む方向とは逆方向に回転させて、調節ビス１２４の頭部１２４ｂを上昇させた場合は、ミラー６４ａの他端がバネ片１２３ｅと第１凸部１２１並びに調節ビス１２４の頭部１２４ｂとの間に挟み込まれて保持されつつ、ミラー６４ａの他辺側が調節ビス１２４の頭部１２４ｂにより押し上げられて上昇し、ミラー６４ａの裏面と第１凸部１２１との当接箇所を中心にして該ミラー６４ａの他端が主走査方向Ｘの軸周りで矢印方向Ｅに回転し、ミラー６４ａの両端が矢印方向Ｅに回転して、ミラー６４ａの反射面が矢印方向Ｅに回転する。
【００８４】
従って、調節ビス１２４のねじ込み量を調節することにより、ミラー６４ａの裏面と第１凸部１２１との当接箇所を中心にして該ミラー６４ａの他端を矢印方向Ｄ、Ｅに回転させ、矢印方向Ｄ、Ｅにおいてミラー６４ａの反射面の向きを適宜設定することができる。
【００８５】
また、図１６（ａ）、（ｂ）から明らかなようにバネ部材１２３の主板１２３ａ及び側板１２３ｂがミラー６４ａの上端から上方に僅かに突出しているものの、バネ部材１２３の殆どの部分がミラー６４ａの高さ方向の配置スペースに入る。また、第１凸部１２１、第２凸部１２２、及び調節ビス１２４もミラー６４ａの高さ方向の配置スペースに入る。従って、高さ方向においては第２調節部１０２の配置スペースを格別設ける必要がなく、光走査装置１１の小型化を図ることができる。
【００８６】
このように第１調節部１０１の偏芯ビス１１３の回転角度を適宜調節することにより、ミラー６４ａの一端を矢印方向Ａ、Ｂに変位させて、ミラー６４ａをその他端を中心にして矢印方向Ａ、Ｂに回転させ、矢印方向Ａ、Ｂにおいてミラー６４ａの反射面の向きを適宜設定することができ、また第２調節部１０２の調節ビス１２４のねじ込み量を適宜調節することにより、ミラー６４ａを主走査方向Ｘの軸周りで矢印方向Ｄ、Ｅに回転させて、矢印方向Ｄ、Ｅにおいてミラー６４ａの反射面の向きを適宜設定することができる。これにより、光ビームＬ１による感光体ドラム１３表面の走査位置を正確に調節設定することができる。
【００８７】
また、第１調節部１０１がミラー６４ａの反射面の側に概ねまとめて配置されて、第１調節部１０１の配置スペースの高さが低くされ、また高さ方向においては第２調節部１０２の配置スペースを格別設ける必要がないので、光走査装置１１の小型化を図ることができる。
【００８８】
例えば、図１８（ａ）に示すように各ミラー６４ａ、６４ｄ、６６ｄ、６６ａにそれぞれの第１調節部１０１を設けた場合は、各第１調節部１０１が筐体４１から上方及び下方に突出しないように該筐体４１の高さを設定する必要があるが、第１調節部１０１の配置スペースの高さが低いため、筐体４１の高さＨ１を低くすることができる。
【００８９】
一方、図１７に示すようにミラー２０１の裏面をバネ（図示せず）により矢印方向Ｑに押圧して、ミラー２０１の表面を偏芯カム２０２に当接させた構成では、ミラー２０１の表裏にバネ及び偏芯カム２０２のそれぞれの配置スペースを設ける必要があって、バネ及び偏芯カム２０２の配置スペースの高さが高くなる。このため、図１８（ｂ）に示すように各ミラー６４ａ、６４ｄ、６６ｄ、６６ａにそれぞれのバネ及び偏芯カム２０２を設けた場合は、筐体４１の高さＨ２が高くなってしまう。
【００９０】
尚、上記実施形態では、各ミラー６４ａ、６４ｄ、６６ｄ、６６ａにそれぞれの第１調節部１０１及びそれぞれの第２調節部１０２を設けているが、第１調節部１０１及び第２調節部１０２を他のミラーやｆθレンズ等に適用しても、同様の効果を得ることができる。
【００９１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００９２】
１  画像形成装置
１１  光走査装置
１２  現像装置
１３  感光体ドラム（被走査体）
１４  ドラムクリーニング装置
１５  帯電装置
１７  定着装置
２１  中間転写ベルト
２２  ベルトクリーニング装置
２３  ２次転写装置
３３  ピックアップローラ
３４  レジストローラ
３５  搬送ローラ
３６  排紙ローラ
４１  筐体
４２  ポリゴンミラー（偏向部）
４３  ポリゴンモータ
４４ａ、４４ｂ  第１半導体レーザ（発光素子）
４５ａ、４５ｂ  第２半導体レーザ（発光素子）
４６  駆動基板
５１  第１入射光学系
５２  第２入射光学系
５３ａ、５３ｂ、５７ａ、５７ｂ  コリメータレンズ
５５ａ、５５ｂ、５９ａ、５９ｂ  ミラー
５６  シリンドリカルレンズ
６１  第１結像光学系
６２  第２結像光学系
６３、６５  ｆθレンズ
６４ａ〜６４ｄ、６６ａ〜６６ｄ  ミラー
７１、７４  ＢＤミラー
７２、７５  ＢＤセンサ
１０１  第１調節部
１０２  第２調節部
１１１  保持部材
１１２、１２３  バネ部材（押圧部材）
１１３  偏芯ビス（変位部材、雄ネジ）
１２１  第１凸部
１２２  第２凸部
１２４  調節ビス
【図１】
2014235370.tif 000003
【図２】
2014235370.tif 000004
【図３】
2014235370.tif 000005
【図４】
2014235370.tif 000006
【図５】
2014235370.tif 000007
【図６】
2014235370.tif 000008
【図７】
2014235370.tif 000009
【図８】
2014235370.tif 000010
【図９】
2014235370.tif 000011
【図１０】
2014235370.tif 000012
【図１１】
2014235370.tif 000013
【図１２】
2014235370.tif 000014
【図１３】
2014235370.tif 000015
【図１４】
2014235370.tif 000016
【図１５】
2014235370.tif 000017
【図１６】
2014235370.tif 000018
【図１７】
2014235370.tif 000019
【図１８】
2014235370.tif 000020